(57)【要約】【課題】親機と子機とに分離された電話機に関し、親機と子機との接合を契機に自動ペアリングを実現し、ペアリングの容易化を図る。【解決手段】親機（２１、２０１）と子機（２２、２０２）とに分離され、分離状態にある前記親機と前記子機とが近距離通信機能により無線接続される通信端末装置（２、セパレート型携帯電話機２０）であって、状態検出部（４）と、ペアリング検出部（６）と、ペアリング処理部（８、１０）とを備える。状態検出部（４）は、親機と子機とが分離状態が接合状態かを検出する。ペアリング検出部（６）は、親機と子機とがペアリングされているかを検出する。ペアリング処理部（８）は、親機と子機とが接合され、かつ親機と子機とがペアリングされていない場合、親機と子機とのペアリングを実行する。【選択図】図１
2011101125.tif 000002
【特許請求の範囲】
【請求項１】
親機と子機とに分離され、分離状態にある前記親機と前記子機とが近距離通信機能により無線接続される通信端末装置であって、
前記親機と前記子機とが分離状態か接合状態かを検出する状態検出部と、
前記親機と前記子機とがペアリングされているかを検出するペアリング検出部と、
前記親機と前記子機とが接合され、かつ前記親機と前記子機とがペアリングされていない場合、前記親機と前記子機とのペアリングを実行するペアリング処理部と、
を備えることを特徴とする通信端末装置。
【請求項２】
前記ペアリングの開始機能を電源スイッチに割り当て、前記ペアリング処理部は、前記親機と前記子機とのペアリングを前記電源スイッチによる通電開始により実行することを特徴とする、請求項１に記載の通信端末装置。
【請求項３】
親機と子機とに分離され、分離状態にある前記親機と前記子機とが近距離通信機能により無線接続される通信端末装置によって実行される通信情報設定方法であって、
前記親機と前記子機とが分離状態か接合状態かを検出するステップと、
前記親機と前記子機とがペアリングされているかを検出するステップと、
前記親機と前記子機とが接合され、かつ前記親機と前記子機とがペアリングされていない場合、前記親機と前記子機とのペアリングを実行するステップと、
を含むことを特徴とする通信情報設定方法。
【請求項４】
親機と子機とに分離され、分離状態にある前記親機と前記子機とが近距離通信機能により無線接続される通信端末装置に実行させる通信情報設定プログラムであって、
前記親機と前記子機とが分離状態か接合状態かを判定する機能と、
前記親機と前記子機とがペアリングされているかを判定する機能と、
前記親機と前記子機とが接合され、かつ前記親機と前記子機とがペアリングされていない場合、前記親機と前記子機とのペアリングを実行する機能と、
を前記通信端末装置に実行させることを特徴とする通信情報設定プログラム。
【発明の詳細な説明】
【技術分野】
【０００１】
本発明は、セパレート型携帯電話機等、親機と子機とに分離されBluetooth 通信機能等で無線接続する通信端末装置の通信設定に関し、例えば、親子機間の接合状態を契機に、ペアリングを自動設定する通信端末装置、通信情報設定方法及び通信情報設定プログラムに関する。
【背景技術】
【０００２】
セパレート型携帯電話機は親機と子機とに分離し、親機には主として外部通信機能、子機には主として操作機能を割り当て、親子機間を近距離通信機能によって無線接続することが知られている。近距離通信機能には例えば、Bluetooth 通信機能が用いられる。このような近距離通信機能を用いた親子機間は固有の通信情報による接続設定が行われている。このような通信情報の設定はペアリングと称せられる。
【０００３】
Bluetooth 機器のペアリングに関し、機器間を有線接続し、Bluetooth 通信に必要な通信情報を交換することが知られている（特許文献１）。
【先行技術文献】
【特許文献】
【０００４】
【特許文献１】特開２００９−１７１２６号公報
【発明の概要】
【発明が解決しようとする課題】
【０００５】
例えばBluetooth 通信機器の場合、二つの機器を接続する際には、ペアリングを行う。具体的には、両者が相手方のデバイスアドレスを登録するとともに、利用者から入力されたパスキーと呼ばれる識別子に基づいて認証を行ったうえで接続を行う。
【０００６】
ところで、親機と子機とに分離されたセパレート型携帯電話機等の通信端末装置にあっては、常に同じ子機が親機に接続されるとは限らない。例えば、子機が故障した場合に、新たに子機を購入し、この購入した子機を故障した子機に代えて親機に接続することが考えられる。このような場合では、親機と購入した子機とのペアリングができていないため、新たにペアリングを実行することとなる。このペアリングに際しては、利用者が親機と子機の双方にパスキーを入力するため、子機を交換する度に利用者がこのような入力を行わなければならないという問題がある。
【０００７】
本開示の通信端末装置、通信情報設定方法及び通信情報設定プログラムの目的は、親機と子機とに分離された通信端末装置に関し、親機と子機との接合を契機に自動ペアリングを実現し、ペアリングの容易化を図ることにある。
【０００８】
また、本開示の通信端末装置、通信情報設定方法及び通信情報設定プログラムの他の目的は、親機と子機とに分離された通信端末装置に関し、親機と子機との接合を契機に単純な操作で自動ペアリングに移行させ、ペアリングの簡易化を図ることにある。
【課題を解決するための手段】
【０００９】
上記目的を達成するため、本開示の通信端末装置は、親機と子機とに分離され、分離状態にある前記親機と前記子機とが近距離通信機能により無線接続される通信端末装置であって、状態検出部と、ペアリング検出部と、ペアリング処理部とを備える。前記状態検出部は、前記親機と前記子機とが分離状態か接合状態かを検出する。前記ペアリング検出部は、前記親機と前記子機とがペアリングされているかを検出する。そして、前記ペアリング処理部は、前記親機と前記子機とが接合され、かつ前記親機と前記子機とがペアリングされていない場合、前記親機と前記子機とのペアリングを実行する。
【００１０】
上記目的を達成するため、本開示の通信情報設定方法は、前記通信端末装置によって実行される通信情報設定方法であって、状態検出ステップと、ペアリング検出ステップと、ペアリング実行ステップとを含む。前記状態検出ステップは、前記親機と前記子機とが分離状態か接合状態かを検出する。前記ペアリング検出ステップは、前記親機と前記子機とがペアリングされているかを検出する。そして、前記ペアリング実行ステップは、前記親機と前記子機とが接合され、かつ前記親機と前記子機とがペアリングされていない場合、前記親機と前記子機とのペアリングを実行する。
【００１１】
上記目的を達成するため、本開示の通信情報設定プログラムは、前記通信端末装置に実行させる通信情報設定プログラムであって、状態判定機能と、ペアリング判定機能と、ペアリング実行機能とを含む。前記状態判定機能は、前記親機と前記子機とが分離状態か接合状態かを判定する。前記ペアリング判定機能は、前記親機と前記子機とがペアリングされているかを判定する。そして、前記ペアリング実行機能は、前記親機と前記子機とが接合され、かつ前記親機と前記子機とがペアリングされていない場合、前記親機と前記子機とのペアリングを実行する。
【発明の効果】
【００１２】
本開示の通信端末装置、通信情報設定方法又は通信情報設定プログラムによれば、次のような効果が得られる。
【００１３】
(1) 親機と子機とに分離されて近距離通信により無線接続される通信端末装置において、親機と子機とがペアリングされているかを接合の際に検出又は判定し、ペアリングされていない場合には、ペアリングを自動処理することができる。
【００１４】
(2) また、親機と子機とのペアリングが完了している状態で、例えば、利用者がセキュリティの観点から、意図的に通信情報を書き替える場合、親機と子機を接合すれば、通信情報を自動書替えすることができる。
【００１５】
そして、本発明の他の目的、特徴及び利点は、添付図面及び各実施の形態を参照することにより、一層明確になるであろう。
【図面の簡単な説明】
【００１６】
【図１】第１の実施の形態に係る通信端末装置の機能部の構成例を示す図である。
【図２】ペアリング処理の処理手順の一例を示すフローチャートである。
【図３】第２の実施の形態に係るセパレート型電話機の親機の機能部を示す図である。
【図４】セパレート型携帯電話機の子機の機能部を示す図である。
【図５】セパレート型携帯電話機のハードウェアの構成例を示す図である。
【図６】セパレート型携帯電話機の一例を示す図である。
【図７】子機側をスライドさせたセパレート型携帯電話機を示す図である。
【図８】子機側をスライドさせて裏面側から見たセパレート型携帯電話機を示す図である。
【図９】子機側をスライドさせて側面側から見たセパレート型携帯電話機を示す図である。
【図１０】分離状態の親機及び子機を示す図である。
【図１１】分離状態の親機を背面側から見て示した図である。
【図１２】子機側のスライド筐体部をスライドさせて上面側から見た子機を示す図である。
【図１３】子機側のスライド筐体部をスライドさせて側面側から見た子機を示す図である。
【図１４】親子機間接点のピンアサインを示す図である。
【図１５】セパレート型携帯電話機の親子機間通信情報の設定処理を示すフローチャートである。
【図１６】ペアリング状態確認のサブルーティンを示すフローチャートである。
【図１７】親子機間の接合検出シーケンスを示すフローチャートである。
【図１８】有線接続後のBluetooth 通信の動作を示すフローチャートである。
【図１９】有線接続後のBluetooth 通信の動作を示すフローチャートである。
【図２０】第３の実施の形態に係るセパレート型電話機の親子機間のペアリング機能を示す図である。
【図２１】セパレート型携帯電話機の親子機間のペアリング処理を示すフローチャートである。
【図２２】セパレート型携帯電話機の接合動作及びBluetooth 通信動作を示す図である。
【図２３】他の実施の形態に係る携帯情報端末を示す図である。
【図２４】他の実施の形態に係るセパレート型電話機を示す図である。
【発明を実施するための形態】
【００１７】
〔第１の実施の形態〕
【００１８】
第１の実施の形態は、親子機間の接合を契機に、子機とのペアリング状態を検出し、子機のペアリングの実行を自動化する構成を含んでいる。
【００１９】
この第１の実施の形態について、図１を参照する。図１は、通信端末装置の機能部を示す図である。図１に示す構成は一例であって、斯かる構成に本発明は限定されない。
【００２０】
この通信端末装置２は、本開示の通信端末装置の一例であって、図１に示すように、親機２１と子機２２とに着脱可能に分離される。分離状態では、親機２１と子機２２とが近距離通信として例えば、Bluetooth 通信機能により無線接続が可能であり、接合状態では、親機２１と子機２２とが有線接続される。なお、本明細書の各実施の形態における" 有線接続" とは、端子間接続等の物理的に親機と子機とが接続されている形態の接続を意味し、無線接続以外のこれらの接続を説明の便宜上" 有線接続" というものとする。
【００２１】
この実施の形態では、親機２１には主として通信ネットワークを介して通信する通信機能や、表示機能等が割り当てられ、また、子機２２には主として通話機能や、キー操作機能等が割り当てられている。
【００２２】
この実施の形態では、親機２１は状態検出部４と、ペアリング検出部６と、ペアリング処理部８とを備えている。
【００２３】
状態検出部４は、親機２１と子機２２とが分離状態か接合状態かを検出する機能部の一例である。状態検出は、例えば、親機２１及び子機２２の接続端子間の接続状態を電気的に検出し、その検出信号により接合か分離かを判断すればよい。
【００２４】
ペアリング検出部６は、親機２１と子機２２とがペアリングされているかを検出する機能部の一例である。この実施の形態では、特定の機器である親機２１と子機２２とが無線接続できる状態に設定されているか否かの検出であり、その判断である。なお、状態検出部４とペアリング検出部６は、子機２２が備える構成であってもよい。
【００２５】
ペアリング処理部８は親機２１と子機２２とを接合状態でペアリング処理する機能部の一例である。Bluetooth 機器にあっては、このペアリングは、接続すべき機器間、この実施の形態では、特定の機器である親機２１と子機２２とを無線接続できる状態に設定することである。そこで、この実施の形態にあっては、親機２１と子機２２とが接合され、親機２１と子機２２とがペアリングされていない場合、接合状態にある親機２１と子機２２とのペアリングを実行する。これにより、特定の機器である親機２１と子機２２とが近距離通信により接続可能となる。
【００２６】
また、子機２２は、ペアリング処理部１０を備えている。このペアリング処理部１０は、親機２１のペアリング処理部８と協動し、既述のペアリング処理を実行する。
【００２７】
次に、ペアリング処理の処理手順について、図２を参照する。図２は、ペアリング処理の処理手順の一例を示すフローチャートである。
【００２８】
この処理手順は、本開示の、通信端末装置によって実行される通信情報設定方法、又は通信端末装置に実行させる通信情報設定プログラムの一例である。この処理手順には、図２に示すように、状態検出又は状態判定機能（ステップＳ１１）と、ペアリング検出又はペアリング判定機能（ステップＳ１２）と、ペアリング実行機能（ステップＳ１３）とが含まれる。
【００２９】
この処理手順では、親機２１と子機２２とが接合されているかを検出又は判断する（ステップＳ１１）。このステップＳ１１では、親機２１と子機２２とが接合状態にあるか、分離状態にあるかを電気的に検出し、その検出に基づき接合状態であるか分離状態であるかを判定する。
【００３０】
親機２１と子機２２が接合されていなければ（ステップＳ１１のＮＯ）、接合状態であるか分離状態であるかの監視を継続する。親機２１と子機２２が接合されていれば（ステップＳ１１のＹＥＳ）、親機２１と子機２２とがペアリングされているかを検出し、判定する（ステップＳ１２）。ペアリングについては、既述の通りであり、即ち、親機２１と子機２２とが近距離通信により接続可能であるか否かを判定する。具体的には、Bluetooth 機器の場合、例えば、機種名称、版数、子機、Bluetooth 機器（ＢＤ：Bluetooth Device）アドレス等の情報が登録されているかを判断すればよい。
【００３１】
ペアリングされていれば（ステップＳ１２のＹＥＳ）、ペアリングの必要はなく、この処理を終了し、ペアリングされていなければ（ステップＳ１２のＮＯ）、ペアリング処理を実行する（ステップＳ１３）。即ち、親機２１と子機２２とが接合され、親機２１と子機２２とがペアリングされていない場合、接合状態にある親機２１と子機２２とのペアリング処理を実行する。
【００３２】
斯かる構成によれば、親子機間の接合の判断の後、ペアリング処理がされていない場合には、接合状態にある親子機間でペアリング処理が自動的に実行され、親子機間の接続設定を行うことができる。また、ペアリング処理にあたって、ユーザがパスキー入力を要することなく、親子機間の接合、即ち、接続という単純な操作のみで親子機間の接続設定を行うことができ、通信端末装置の利便性が高められる。
【００３３】
〔第２の実施の形態〕
【００３４】
次に、セパレート型携帯電話機の機能について、図３及び図４を参照する。図３は、セパレート型携帯電話機の親機側の機能部の一例を示す図、図４は、その子機側の機能部の一例を示す図である。
【００３５】
このセパレート型携帯電話機２０は、親機２０１でセパレート型携帯電話機２０の主として外部通信機能、表示機能、ペアリング機能等を実行し、子機２０２でセパレート型携帯電話機２０の主として親機２０１との通信機能、通話機能、ペアリング機能等を実行する。
【００３６】
そこで、親機２０１は、図３に示すように、外部通信制御部３０と、接合・分離確認部３２と、表示制御部３４と、記憶制御部３６と、電源制御部３７と、ペアリング検出部３８と、ペアリング処理部４０と、親子通信制御部４２と、Bluetooth 通信制御部４４と、有線通信制御部４６と、その他の機能として通話制御部等を備えている。これらの機能は親機２０１に搭載されているコンピュータ（プロセッサ７０：図５）によって生成され実行される。
【００３７】
外部通信制御部３０は、外部の通信ネットワーク４８と無線により接続し、通話やデータ通信の制御を行う。通信ネットワーク４８には親機２０１が無線により基地局やサーバに接続されている。
【００３８】
接合・分離確認部３２は、親機２０１が子機２０２に接合又は分離されているかを確認する機能部である。親機２０１に子機２０２が接合されているか又は分離されているかの判断は、親機２０１と子機２０２との電気的な接合状態の有無によって行えばよい。
【００３９】
表示制御部３４は、情報表示を制御する機能部の一例であって、表示部７６（図５）の表示制御の機能を含む。
【００４０】
記憶制御部３６はデータ保持や保存を制御する機能であって、記憶手段に対するデータの書き込み又は読出しを制御する機能部である。この記憶制御部３６には、親機２０１のソフトウェアやペアリング情報即ち、通信情報（接続設定情報）の格納や書替え等の制御が含まれる。
【００４１】
電源制御部３７は、電源スイッチ部８７（図５）のオン、オフを認識し、親機２０１側の機能部に対する電源の通電を制御する機能部である。親機２０１に子機２０２が接合されている場合には子機２０２側の通電制御を含んでもよい。
【００４２】
ペアリング検出部３８は、子機２０２からペアリング情報を取得し、ペアリングされた状態であるかを検出、判定する機能部である。このペアリング検出は、例えば、機種名、子機ファームウェア、版数、子機ＢＤアドレス等からペアリングされた状態であるかを検出、判定すればよい。
【００４３】
ペアリング処理部４０は、子機２０２と近距離通信、この場合、Bluetooth 通信で接続可能状態に処理する機能部であって、ペアリング情報の登録を実行し、接続可能にする。例えば、機種名、子機ファームウェア、版数、子機ＢＤアドレス、ＰＩＮコード等を登録し、接続設定を行う。
【００４４】
親子通信制御部４２は、親機２０１側で親子機間の通信形態を制御する制御機能部であって、親子機間が接合状態であれば有線接続とし、親子機間が分離状態であれば無線接続とする。
【００４５】
Bluetooth 通信制御部４４は、子機２０２との無線通信を行い、電波等の無線媒体で接続する機能部であり、この場合、Bluetooth 通信を用いればよい。また、有線通信制御部４６は、親子機間の接合（結合）によって有線接続し、例えば、シリアル通信を行う。
【００４６】
また、子機２０２は、図４に示すように、電源制御部４９と、接合・分離確認部５０と、記憶制御部５２と、ペアリング処理部５４と、親子通信制御部５６、Bluetooth 通信制御部５８と、有線通信制御部６０とを備え、その他通話制御部や入力制御部を備えている。これらの機能は子機２０２に搭載されているコンピュータ（プロセッサ１００：図５）によって生成され実行される。
【００４７】
電源制御部４９は、電源スイッチ部１１５（図５）のオン、オフを認識し、子機２０２側の機能部に対する電源の通電を制御する機能部である。子機２０２が親機２０１に接合されている場合には親機２０１側の通電制御を含んでもよい。
【００４８】
接合・分離確認部５０は、子機２０２が親機２０１に接合又は分離されているかを確認する機能部である。親機２０１に子機２０２が接合されているか又は分離されているかの判断は、既述のように、親機２０１と子機２０２との電気的な接合状態の有無によって行えばよい。
【００４９】
記憶制御部５２はデータ保持手段の一例であって、親機２０１から提供されたソフトウェアやその版数データを記憶させる制御機能部である。
【００５０】
ペアリング処理部５４は、親機２０１側と同様に、親機２０１と近距離通信、この場合、Bluetooth 通信で接続可能状態に処理する機能部であって、ペアリング情報の登録を実行し、接続可能にする。例えば、機種名、親機ファームウェア、版数、親機ＢＤアドレス、ＰＩＮコード（パスキー）等を登録し、接続設定を行う。
【００５１】
親子通信制御部５６は、子機２０２側で親子機間の通信形態を制御する制御機能部であって、親子機間が接合状態であれば有線接続とし、親子機間が分離状態であれば無線接続とする。
【００５２】
Bluetooth 通信制御部５８は、親機２０１とのBluetooth 通信を制御する機能部である。また、有線通信制御部６０、既述のように、親子機間の接合によって接続する。
【００５３】
次に、セパレート型携帯電話機２０のハードウェアについて、図５を参照する。図５は、セパレート型携帯電話機のハードウェアの一例を示す図である。
【００５４】
セパレート型携帯電話機２０は親機２０１と子機２０２とを着脱可能に備え、既述の各機能を実現するためのハードウェア構成を備えている。そこで、親機２０１は、図５に示すように、プロセッサ７０と、無線通信部７２と、記憶部７４と、表示部７６と、タッチパネル部７８と、音声入出力部８０と、Bluetooth 通信部８２と、有線通信部８４と、接合・分離検出部８６と、電源スイッチ部８７とを備える。
【００５５】
プロセッサ７０は、記憶部７４にあるプログラムを実行することにより、既述の機能部（図３）を生成させ、各機能を実行する。
【００５６】
無線通信部７２は、アンテナ８８を備え、プロセッサ７０の制御により基地局を介して既述の通信ネットワーク４８と無線通信により、通話やデータ通信を行う。
【００５７】
記憶部７４は、プロセッサ７０の制御により、プログラム等の各種のデータを記憶し、保持する記憶手段であって、プログラム記憶部９０と、データ記憶部９２と、ＲＡＭ（Random-Access Memory）９４とを備える。プログラム記憶部９０は、記録媒体で構成され、ＯＳ（Operating System）、ファームウェアプログラム、アプリケーションプログラム、通信情報設定プログラム（例えば、ペアリング処理プログラム）等を格納する。データ記憶部９２は、データの記憶手段であって、通電を解除しても記憶内容を保持できるメモリである不揮発性メモリで構成される。このデータ記憶部９２には、親機２０１及び子機２０２側のソフトウェアの版数データや、ペアリング済み子機リスト等が保存される。ＲＡＭ９４は、親機２０１や子機２０２のペアリング処理であるソフトウェア更新等の各種データ処理を実行するためのワークエリアを構成する。
【００５８】
表示部７６は、メッセージ出力部、情報提示手段の一例であって、例えば、ＬＣＤ（Liquid Crystal Display）表示器で構成される。この表示部７６は、プロセッサ７０の制御により、子機２０２のペアリングを促すメッセージ表示や、子機２０２の接続を促すメッセージ表示等の各種の表示をする。
【００５９】
タッチパネル部７８は、表示部７６に積層されて設置された入力手段の一例であって、プロセッサ７０の制御により、表示部７６の表示に応じてユーザの指やスタイラスペン（Stylus）の接触や押圧により、指示やデータ入力を行うことができる。
【００６０】
音声入出力部８０は、音声の入力手段や出力手段の一例であって、マイクロフォン９６及びレシーバ９８を備える。この音声入出力部８０は、プロセッサ７０の制御により、マイクロフォン９６に入力された音声を電気信号に変換してプロセッサ７０に入力し、プロセッサ７０の音声出力信号をレシーバ９８で音声に再生する。
【００６１】
Bluetooth 通信部８２は、プロセッサ７０の制御により、子機２０２との間で無線により接続する無線接続手段であって、例えば、Bluetooth 通信により通信接続を行う。このBluetooth 通信部８２は、親機２０１から子機２０２が分離されている場合、無線接続を行う。
【００６２】
有線通信部８４は、プロセッサ７０の制御により、子機２０２を接合した際に有線接続する有線接続手段であって、例えば、ＵＡＲＴ（Universal Asynchronous Receiver Transmitter ）接続により有線接続を行う。この有線通信部８４は、子機２０２と端子間接合した場合、有線接続を行う。
【００６３】
接合・分離検出部８６は、親機２０１側にあって、親機２０１に子機２０２が接合されているか、親機２０１から子機２０２が分離されているかを検出する手段の一例であり、例えば、接合・分離検出デバイスで構成される。この接合又は分離は、例えば、端子間接合の有無を電位によって検出すればよい。この場合、接合・分離検出部８６に親機２０１と子機２０２との分離状態が検出された場合、Bluetooth 通信部８２の無線接続の契機となる。また、接合・分離検出部８６に親機２０１と子機２０２との接合状態が検出された場合、有線通信部８４の有線接続の契機となる。
【００６４】
電源スイッチ部８７は親機２０１の通電開始手段の一例であり、ペアリング開始等に用いられる。
【００６５】
次に、子機２０２は、プロセッサ１００と、記憶部１０２と、キーパッド部１０４、１０６と、音声入出力部１０８と、Bluetooth 通信部１１０と、有線通信部１１２と、接合・分離検出部１１４と、電源スイッチ部１１５とを備える。
【００６６】
プロセッサ１００は記憶部１０２にあるプログラムを実行することにより、既述の機能部（図４）を生成させ、各機能を実行する。
【００６７】
記憶部１０２は、プロセッサ１００の制御により、プログラム等の各種のデータを記憶し、保持する記憶手段であって、プログラム記憶部１１６と、データ記憶部１１８と、ＲＡＭ１２０とを備える。プログラム記憶部１１６は、記録媒体で構成され、ＯＳ、ファームウェアプログラム、アプリケーションプログラム、通信情報設定プログラム（例えば、ペアリング処理プログラム）等を格納する。データ記憶部１１８は、データの記憶手段であって、通電を解除しても記憶内容を保持できるメモリである不揮発性メモリで構成される。このデータ記憶部１１８には、子機２０２側のソフトウェアの版数データ等が格納される。ＲＡＭ１２０は、子機２０２側のペアリング処理であるソフトウェア更新等の各種データ処理を実行するためのワークエリアを構成する。
【００６８】
キーパッド部１０４は、第１のキー入力部であって、子機２０２側の固定筐体部１３０（図７）側に設置され、記号キー、カーソルキー、決定キー等が備えられている。また、キーパッド部１０６は、第２のキー入力部であって、親機２０１から子機２０２が分離した際に、子機２０２側のスライド筐体部１３２（図８）に設置され、キーパッド部１０４に積層されてキー入力に用いられる。
【００６９】
音声入出力部１０８は、音声の入力手段や出力手段の一例であって、マイクロフォン１２２及びレシーバ１２４を備える。子機２０２が親機２０１から分離された際、この音声入出力部１０８は、プロセッサ１００の制御により、マイクロフォン１２２に入力された音声を電気信号に変換してプロセッサ１００に入力し、プロセッサ１００の音声出力信号をレシーバ１２４で音声に再生する。
【００７０】
Bluetooth 通信部１１０は、プロセッサ１００の制御により、親機２０１のBluetooth 通信部８２との間で無線により接続する無線接続手段であって、例えば、Bluetooth 通信により通信接続を行う。このBluetooth 通信部１１０は、子機２０２が親機２０１から分離されている場合、無線接続を行う。
【００７１】
有線通信部１１２は、プロセッサ１００の制御により、親機２０１に接合した際に有線接続する有線接続手段であって、既述のＵＡＲＴ接続により有線接続を行う。この有線通信部１１２は、親機２０１と端子間接合した場合、既述の有線接続を行う。
【００７２】
接合・分離検出部１１４は、子機２０２側にあって、子機２０２が親機２０１に接合されているか、子機２０２が親機２０１から分離されているかを検出する手段の一例であり、既述の通り、例えば、接合・分離検出デバイスで構成される。この接合又は分離は、例えば、端子間接合の有無を電位によって検出すればよい。親機２０１側と同様に、接合・分離検出部１１４に親機２０１と子機２０２との分離状態が検出された場合、Bluetooth 通信部１１０の無線接続の契機となる。また、接合・分離検出部１１４に親機２０１と子機２０２との接合状態が検出された場合、有線通信部１１２の有線接続の契機となる。
【００７３】
電源スイッチ部１１５は子機２０２の通電開始手段の一例であり、親機２０１側と同様にペアリング開始等に用いられる。
【００７４】
次に、セパレート型携帯電話機について、図６、図７、図８、図９、図１０、図１１、図１２及び図１３を参照する。図６は、セパレート型携帯電話機の一例を示す図、図７は、子機側をスライドさせたセパレート型携帯電話機を示す図、図８は、子機側をスライドさせて裏面側から見たセパレート型携帯電話機を示す図、図９は、子機側をスライドさせて側面側から見たセパレート型携帯電話機を示す図、図１０は、分離状態の親機及び子機を示す図、図１１は、分離状態の親機を背面側から見て示した図、図１２は、子機側のスライド筐体部をスライドさせて上面側から見た子機を示す図、図１３は、子機側のスライド筐体部をスライドさせて側面側から見た子機を示す図である。
【００７５】
セパレート型携帯電話機２０は、図６に示すように、固定筐体部１３０と、スライド筐体部１３２と、可動筐体部１３４とが備えられている。この場合、固定筐体部１３０及びスライド筐体部１３２は子機２０２に用いられ、可動筐体部１３４は親機２０１に用いられている。
【００７６】
固定筐体部１３０には、図７〜図１０に示すように、スライド筐体部１３２がスライド機構によって固定筐体部１３０の長手方向にスライド可能に設置されている。スライド筐体部１３２には、可動筐体部１３４が着脱機構によって着脱される。従って、可動筐体部１３４がスライド筐体部１３２に設置された場合、スライド筐体部１３２によって固定筐体部１３０の長手方向にスライド可能である。図７、図８及び図９は、可動筐体部１３４がスライド筐体部１３２とともにスライドし、固定筐体部１３０から突出した状態である。この場合、可動筐体部１３４の背面側にはカメラ部１３５が設置され、このカメラ部１３５がスライド筐体部１３２にある窓部１３６から露出している。
【００７７】
また、スライド筐体部１３２を固定筐体部１３０に一致させた際に、図１０に示すように、固定筐体部１３０と可動筐体部１３４を接合又は分離させることができる。図１１は可動筐体部１３４の背面側を示している。そして、可動筐体部１３４（親機２０１）を固定筐体部１３０から分離させると、固定筐体部１３０の上面はスライド筐体部１３２によって覆われ、また、図１２及び図１３に示すように、固定筐体部１３０からスライド筐体部１３２を長手方向にスライドさせてずらすことができる。
【００７８】
斯かる構成により、セパレート型携帯電話機２０には、着脱かつスライド可能な親機２０１と、子機２０２とが備えられ、親機２０１と子機２０２とが接合された場合、上面側に親機２０１、その下面側に子機２０２が配置される。可動筐体部１３４には表示部７６及びタッチパネル部７８が設置されているとともに、マイクロフォン９６及びレシーバ９８が設置され、側面部には電源スイッチ部８７が配置されている。
【００７９】
固定筐体部１３０には、子機２０２側のキーパッド部１０４が設置されるとともに、マイクロフォン１２２が配置されている。また、スライド筐体部１３２には、キーパッド部１０６が設置されているとともに、レシーバ１２４が配置されている。
【００８０】
接合状態において、図７に示すように、可動筐体部１３４は、スライド筐体部１３２と協動してスライドし、可動筐体部１３４即ち、親機２０１をスライドさせた場合、子機２０２側のキーパッド部１０４が露出し、キー入力操作が可能である。キーパッド部１０４には記号キー１３８、カーソルキー１４０、決定キー１４２、電源スイッチ部１１５の電源ボタン１８等が設置されている。
【００８１】
可動筐体部１３４を固定筐体部１３０から分離させると、図１０に示すように、固定筐体部１３０上にスライド筐体部１３２のキーパッド部１０６、レシーバ１２４が露出する。このキーパッド部１０６からキー入力操作を行うことができるとともに、Bluetooth 通信により親機２０１を介在させた子機２０２側での通話が可能である。
【００８２】
そして、固定筐体部１３０には図１０に示すように、有線通信部１１２の接続端子部１４４Ａ、１４４Ｂが設置され、また、可動筐体部１３４には図１１に示すように、有線通信部８４の接続端子部１４６Ａ、１４６Ｂが設置されている。親機２０１と子機２０２とが接合状態にある場合、これら接続端子部１４４Ａ−１４６Ａ、１４４Ｂ−１４６Ｂを介して電気的に接続されるので、この接合状態は接合・分離検出部８６、１１４によって検出される。接続端子部１４４Ａ−１４６Ａ、１４４Ｂ−１４６Ｂは、複数のピンＰＧ１、ＰＧ２、ＰＧ３・・・ＰＧ８で構成されている。
【００８３】
次に、親子機間接点のピンアサインについて、図１４を参照する。図１４は、親子機間接点のピンアサインテーブルの一例を示す図である。
【００８４】
このピンアサインテーブル１５０には、ピン番号欄１５２、親機側機能欄１５４及び子機側機能欄１５６が設定され、データ記憶部９２、１１８に格納されている。
【００８５】
この場合、ピン番号欄１５２には、接続端子部１４４Ａ、１４４Ｂ、１４６Ａ、１４６Ｂを構成するピンに対応し、ピン番号としてＰＧ１、ＰＧ２、ＰＧ３・・・ＰＧ８の８ピン構成の番号が格納されている。この場合、ピンＰＧ１は、親機２０１及び子機２０２ともに接地（ＧＮＤ）に割り当てられている。
【００８６】
ピンＰＧ２は、親子機間有線通信に割り当てられ、親機２０１側には送信側を表すＵＡＲＴ−ＴＸ、子機２０２側には受信側を表すＵＡＲＴ−ＲＸが設定されている。ピンＰＧ３は、親子機間有線通信に割り当てられ、親機２０１側には受信側を表すＵＡＲＴ−ＲＸ、子機２０２側には送信側を表すＵＡＲＴ−ＴＸが設定されている。
【００８７】
ピンＰＧ４、ＰＧ５はともに接合検出に割り当てられ、ピンＰＧ４は、親機２０１側には接合検出、子機２０２側には接地（ＧＮＤ）が割り当てられ、また、ピンＰＧ５は、親機２０１側には接地（ＧＮＤ）、子機２０２側には接合検出が割り当てられている。
【００８８】
ピンＰＧ６、ＰＧ７は割り当てなしであり、ＰＧ８は親機２０１及び子機２０２のそれぞれに電源が割り当てられている。
【００８９】
次に、通信情報の設定について、図１５を参照する。図１５は、親子機間通信情報の設定処理の処理手順を示すフローチャートである。
【００９０】
この処理手順は、本開示の通信情報設定方法又は通信情報設定プログラムの一例であって、この処理手順には、接合状態の検出又は判定、親子機間のペアリング状態の検出又は判定、ペアリングの処理等の機能が含まれている。
【００９１】
そこで、この処理手順は、図１５に示すように、通信情報の設定（又は再設定）に際し、親機２０１と子機２０２が接合状態であるかを判定する（ステップＳ１０１）。親機２０１と子機２０２が接合状態であれば（ステップＳ１０１のＹＥＳ）、親機２０１と子機２０２がペアリングされた状態かを判定する（ステップＳ１０２）。親機２０１と子機２０２がペアリングされた状態であれば（ステップＳ１０２のＹＥＳ）、待受け状態に移行する（ステップＳ１０３）。親機２０１に子機２０２が接合状態でない場合にも（ステップＳ１０１のＮＯ）、待受け状態に移行する（ステップＳ１０３）。
【００９２】
親機２０１と子機２０２がペアリングされた状態でなければ（ステップＳ１０２のＮＯ）、ペアリング処理を開始する（ステップＳ１０４）。まず、同期の確立（呼出し）を行う（ステップＳ１０５）。そして、接続要求及び確立（接続及び認証確認）を行い（ステップＳ１０６）、暗号化設定を行い（ステップＳ１０７）、これによりペアリングを終了し（ステップＳ１０８）、待受け状態に移行する（ステップＳ１０３）。
【００９３】
斯かる処理手順によれば、親子機間を接合状態にし、親子機間がペアリング状態でなければ、ペアリング処理を自動的に行うことができ、ペアリングされたセパレート型電話機を待受け状態に移行させることができる。
【００９４】
次に、ペアリングの確認について、図１６を参照する。図１６は、ペアリング状態の確認の処理手順（サブルーティン）を示すフローチャートである。
【００９５】
この処理手順は、本開示の通信情報設定方法又は通信情報設定プログラムの一例であって、ペアリング処理の前提処理であるペアリング確認の機能が含まれている。
【００９６】
そこで、この処理手順では、図１６に示すように、親機２０１が子機２０２と同じBluetooth デバイス（ＢＤ）アドレスを持っているかを確認する（ステップＳ２０１）。親機２０１が子機２０２と同じＢＤアドレスを持っていれば（ステップＳ２０１のＹＥＳ）、親機２０１が子機２０２と同じＰＩＮコードを持っているかを確認する（ステップＳ２０２）。親機２０１が子機２０２と同じＰＩＮコードを持っていれば（ステップＳ２０２のＹＥＳ）、待受け状態に移行する（ステップＳ２０３）。
【００９７】
新たな子機を接続する場合等により親機２０１が子機２０２と同じＢＤアドレスを持っていなければ（ステップＳ２０１のＮＯ）、又は子機２０２のＰＩＮコードが変更されていた場合等により親機２０１が子機２０２と同じＰＩＮコードを持っていなければ（ステップＳ２０２のＮＯ）、ペアリング手順を開始し（ステップＳ２０４）、待受け状態に移行し、メインルーティン（図１５）に戻る。
【００９８】
次に、親子機間の接合検出について、図１７を参照する。図１７は、親子機間の接合検出の処理シーケンスを示すフローチャートである。
【００９９】
この処理手順は、本開示の通信情報設定方法又は通信情報設定プログラムの一例であって、ペアリング処理の前提処理として親子機間の接合の検出機能が含まれている。
【０１００】
そこで、この処理手順では、図１７に示すように、親機２０１及び子機２０２を分離した状態で電源をオン（通電）し（ステップＳ３０１）、親機２０１及び子機２０２を接合する（ステップＳ３０２）。電源の投入は、親機２０１側の電源スイッチ部８７、子機２０２側の電源スイッチ部１１５（電源キー１４３）の操作で行えばよい。
【０１０１】
親機２０１では、親子機間のピン番号ＰＧ４で接合を検出したかを判定する（ステップＳ３０３）。親子機間のピン番号ＰＧ４で接合を検出すれば（ステップＳ３０３のＹＥＳ）、子機２０２向け親子機間通信（ＵＡＲＴ−ＴＸ）のピン番号ＰＧ２の出力をＨｉ−Ｚに設定する（ステップＳ３０４）。
【０１０２】
このピン番号ＰＧ２の出力がＨｉ−Ｚ設定の場合は、子機２０２側にその旨が通知され（ステップＳ３０５）、子機２０２側ではピン番号ＰＧ２がＨｉ−Ｚであることを検出し（ステップＳ３０６）、親機２０１向け親子機間通信（ＵＡＲＴ−ＴＸ）のピン番号ＰＧ３の出力をＨｉ−Ｚの設定にする（ステップＳ３０７）。
【０１０３】
このピン番号ＰＧ３の出力がＨｉ−Ｚ設定である旨が、親機２０１側に通知され（ステップＳ３０８）、親機２０１側はピン番号ＰＧ３がＨｉ−Ｚであるかを判定し（ステップＳ３０９）、親機２０１側ではピン番号ＰＧ３がＨｉ−Ｚであれば（ステップＳ３０９のＹＥＳ）、子機２０２向け親子機間通信（ＵＡＲＴ−ＴＸ）のピン番号ＰＧ２にテストデータを送信する（ステップＳ３１０）。
【０１０４】
子機２０２は、テストデータの受信データを親機２０１向け親子機間通信（ＵＡＲＴ−ＴＸ）のピン番号ＰＧ３に返信する（ステップＳ３１１）。
【０１０５】
受信データの返信を受けた親機２０１では、テストデータが同一であるかを判定する（ステップＳ３１２）。テストデータが同一であれば（ステップＳ３１２のＹＥＳ）、子機２０２と接合状態であると認識し（ステップＳ３１３）、テストデータが同一でなければ（ステップＳ３１２のＮＯ）、接合失敗と認識する（ステップＳ３１４）。
【０１０６】
斯かる構成によれば、親子機間が接合されているか分離されているかをＰＩＮコードの電位によって正確に確認でき、接合状態の認識又は接合失敗を高精度に判断できる。
【０１０７】
次に、親子機間の有線接続後の動作について、図１８及び図１９を参照する。図１８及び図１９は、親子機間の有線接続後の処理シーケンスを示すフローチャートである。図１８及び図１９において、ａ、ｂ、ｃ、ｄ、ｅ、ｆは、フローチャート間の接続を示す接続子である。
【０１０８】
この処理手順には、親機２０１側の処理機能として、有線接合検出機能（Ｆ２０１）、有線通信セッション（Ｆ２０２）、子機初期起動、子機識別子提供、機種識別確認及び子機版数確認の各機能（Ｆ２０３）が含まれる。更に、この処理手順には、ペアリング開始要求、親機ＢＤアドレス通知及びＰＩＮコード通知の各機能（Ｆ２０４）、Bluetooth ペアリング、リンクキー生成及び格納の各機能（Ｆ２０５）が含まれる。
【０１０９】
また、親子機間の処理機能として、子機２０２を示す指定文字列の送信機能（Ｆ２１１）、子機識別子受信・格納、子機機種別名称通知、子機ファームウェア版数通知、子機ＢＤアドレス通知、前回使用のＰＩＮコード通知の各機能（Ｆ２１２）、親機ＢＤアドレス受信・格納、ＰＩＮコード受信・格納、親機への応答の各機能（Ｆ２１３）、親機ＢＤアドレス通知、ＰＩＮコード通知の各機能（Ｆ２１４）、リンクキー生成・格納の機能（Ｆ２１５）が含まれる。
【０１１０】
そこで、この処理手順では、親機２０１と子機２０２とが接合されて有線接続されると、親機２０１の有線通信制御部４６から有線接合通知が生成され（ステップＳ４０１）、親子通信制御部４２に通知される（ステップＳ４０２）。
【０１１１】
この通知を受けた親子通信制御部４２は有線通信を確立させ（ステップＳ４０３）、これを有線通信制御部４６に通知する（ステップＳ４０４）。有線通信確立が有線通信制御部４６と接合されている子機２０２側の有線通信制御部６０に通知され（ステップＳ４０５）、この有線通信制御部６０から親子通信制御部５６に通知される（ステップＳ４０６）。
【０１１２】
親子通信制御部５６は、親機２０１側の有線通信確立の通知を受けたことを契機に、有線通信確立応答を生成し（ステップＳ４０７）、有線通信制御部６０に通知する（ステップＳ４０８）。この有線通信確立応答は、親機２０１側の有線通信確立通知に対する応答通知であって、例えば、特定文字列によって形成されている。有線通信確立応答は有線通信制御部６０と接合されている親機２０１側の有線通信制御部４６に通知され（ステップＳ４０９）、この有線通信制御部４６から親子通信制御部４２に通知される（ステップＳ４１０）。
【０１１３】
親子通信制御部４２では、有線通信確立応答により、有線通信（シリアル通信）が可能であるかを確認する（ステップＳ４１１）。この有線通信が可能であるかの確認として、子機２０２から発せられた既述の特定文字列を受信しているかを調べ、セパレータ型携帯電話機２０であることを認識する。一定時間に有線通信確立応答がない場合や、不正文字列を受信した場合には、有線通信確立応答を表す正規の特定文字列を受信するためのリトライを所定回数ｎだけ繰り返し、所定回数ｎだけ受信しても正規の特定文字列の受信に失敗すると（ステップＳ４１１のＮＯ）、有線通信を終了する（ステップＳ４１２）。
【０１１４】
有線通信確立応答を受信し、有線通信が可能であれば（ステップＳ４１１のＹＥＳ）、親機２０１の親子通信制御部４２は、機器基本情報要求を生成し（ステップＳ４１３）、有線通信制御部４６に通知する（ステップＳ４１４）。この機器基本情報には、子機２０２を識別するための子機識別子が含まれており、この子機識別子が子機２０２側に通知される。
【０１１５】
この機器基本情報要求は有線通信制御部４６と接合されている子機２０２側の有線通信制御部６０に通知され（ステップＳ４１５）、この有線通信制御部６０から親子通信制御部５６に通知される（ステップＳ４１６）。この機器基本情報要求を受けた子機２０２の親子通信制御部５６では、受信した子機識別子を子機２０２側のデータ記憶部１１８（図５）に格納し、この子機識別子は以降の親機２０１との通信時に通信情報に記載される（ステップＳ４１７）。
【０１１６】
そして、機器基本情報要求を受けた子機２０２の親子通信制御部５６は機器基本情報要求応答を生成し（ステップＳ４１８）、有線通信制御部６０に通知する（ステップＳ４１９）。この機器基本情報要求応答には、子機２０２を表す機器名称、版数、子機２０２のＢＤアドレス、前回ＰＩＮコードの情報が含まれる。この機器基本情報要求応答は有線通信制御部６０と接合されている親機２０１側の有線通信制御部４６に通知され（ステップＳ４２０）、この有線通信制御部４６から親子通信制御部４２に通知される（ステップＳ４２１）。
【０１１７】
この機器基本情報要求応答を受けた親子通信制御部４２は、接続可能かを確認する（ステップＳ４２２）。この確認では、子機２０２が接続可能なモデルか、親機２０１と既にペアリング済み（親機２０１のデータ記憶部９２に保存済みの「ペアリング済み子機リスト」に、受信した子機ＢＤアドレスと前回ＰＩＮコードがどちらもあること）でないかを確認する。この場合、子機２０２の版数が合致していない場合は子機２０２のファームウェア更新を実行し、最初から処理をやり直す。この場合、子機２０２が親機２０１と既にペアリング済みの場合は以後の処理を終了し（ステップＳ４２３）、以下のペアリング動作を行わない。
【０１１８】
親子通信制御部４２は、接続可能と判断すると（ステップＳ４２２のＹＥＳ）、ペアリング開始要求を発し（ステップＳ４２４）、有線通信制御部４６に通知する（ステップＳ４２５）。このペアリング開始要求には親機ＢＤアドレス及びＰＩＮコードの情報が含まれる。このペアリング開始要求は有線通信制御部４６と接合されている子機２０２側の有線通信制御部６０に通知され（ステップＳ４２６）、この有線通信制御部６０から親子通信制御部５６に通知される（ステップＳ４２７）。
【０１１９】
ペアリング開始要求を受信すると、子機２０２の親子通信制御部５６は、ペアリング開始要求応答を生成し（ステップＳ４２８）、有線通信制御部６０に通知する（ステップＳ４２９）。このとき、親機ＢＤアドレス及びＰＩＮコードを記憶部１０２に格納する。このペアリング開始要求応答は有線通信制御部６０と接合されている親機２０１側の有線通信制御部４６に通知され（ステップＳ４３０）、この有線通信制御部４６から親子通信制御部４２に通知される（ステップＳ４３１）。
【０１２０】
また、ペアリング開始要求を受信した子機２０２の親子通信制御部５６は、Bluetooth 通信の有効化指示を生成し（ステップＳ４３２）、Bluetooth 通信制御部５８に通知する（ステップＳ４３３）。即ち、子機２０２は親機２０１にペアリング開始要求応答を返すとともに、子機２０２内のBluetooth 通信制御部５８にBluetooth 通信の有効化指示を行う。
【０１２１】
子機２０２からペアリング開始要求応答を受けた親機２０１の親子通信制御部４２は、Bluetooth ペアリング起動要求を生成し（ステップＳ４３４）、Bluetooth 通信制御部４４に通知する（ステップＳ４３５）。Bluetooth ペアリング起動要求には子機ＢＤアドレス及びパスキーが含まれる。
【０１２２】
この結果、親機２０１側の起動による親機２０１側のBluetooth 通信制御部４４と子機２０２側のBluetooth 通信制御部５８との間でBluetooth 通信による無線接続を行い、Bluetooth ペアリングシーケンスを実行する（ステップＳ４３６）。
【０１２３】
Bluetooth ペアリングが完了すると、親機２０１のBluetooth 通信制御部４４がBluetooth ペアリング完了通知を生成し（ステップＳ４３７）、親子通信制御部４２に通知する（ステップＳ４３８）。また、子機２０２側においても、Bluetooth 通信制御部５８がBluetooth ペアリング完了通知を生成し（ステップＳ４３９）、親子通信制御部５６に通知する（ステップＳ４４０）。
【０１２４】
斯かる構成によれば、有線接続を契機とし、ペアリングが可能か否かの判断の後、可能であれば、親子機間でBluetooth ペアリングが自動的に実行される。
【０１２５】
〔第３の実施の形態〕
【０１２６】
第３の実施の形態は、分離状態にある親機及び子機を接合し、電源を投入した際にペアリング処理を実行する構成である。この第３の実施の形態にあっては、セパレート型携帯電話機の出荷時に親機と子機とのペアリングが完了している状態で、ユーザがセキュリティの観点から、意図的に通信情報を書き替える場合を想定する。この場合、パスキーを入力することなく、親機と子機を接合して電源のＯＦＦ／ＯＮだけの操作で通信情報を書き替えることを可能にしている。
【０１２７】
この第３の実施の形態について、図２０、図２１及び図２２を参照する。図２０は、分離状態から親子機を接合した場合の通信情報再設定処理を示す図、図２１は、有線接続時の通信情報再設定処理の処理手順を示すフローチャート、図２２は、ペアリング及びBluetooth 通信を示す図である。
【０１２８】
このセパレート型携帯電話機２００では、通信情報の設定機能に包含される再設定機能が追加されている。このセパレート型携帯電話機２００では、第２の実施の形態の機能部の構成（図３、図４）及びハードウェア（図５、図６〜図１３）が用いられる。
【０１２９】
このセパレート型携帯電話機２００では、図２０の（Ａ）に示すように、親機２０１には通信情報Ａ、子機２０２にも同様の通信情報Ａが格納され、この通信情報Ａを用いてBluetooth 通信（ＢＴ通信）が実行される。また、このセパレート型携帯電話機２００の親機２０１と子機２０２とを図２０の（Ｂ）に示すように接合すれば、有線接続により有線通信が行われる。
【０１３０】
このようなセパレート型携帯電話機２００にあって、図２０の（Ｃ）に示すように、  電源をオフ状態にし、通信情報Ａを持つ親機２０１に通信情報Ｂを有する子機２０３を接合したとする。その接合時、図２０の（Ｄ）に示すように、電源をオフ状態からオン状態に切り替えると、電源の切替えを契機に、親機２０１と子機２０３とのペアリングが実行され、親機２０１の通信情報Ａは通信情報Ｂに書き替えられる。即ち、親子機間の通信情報が通信情報Ｂに共通化され、ペアリングを完了する。
【０１３１】
このような通信情報の再設定機能を備えたことにより、親機２０１と子機２０３との接合時に電源をＯＦＦ／ＯＮすれば、工場出荷時に初期設定された通信情報を削除し、新たに通信情報を生成（例えば、乱数発生装置が生成する乱数で新規に作成したパスキーを使用して生成）した後に、新たな通信情報を使ってペアリングを行うことができる。
【０１３２】
また、セパレート型携帯電話機２００を分離時に電源をＯＦＦ／ＯＮした場合には、工場出荷時に初期設定された通信情報、又は再設定された通信情報をそのまま保持することができる。設定された通信情報はデータ記憶部９２、１１８に保持されて保存される。
【０１３３】
また、セパレート型携帯電話機２００を親機２０１と子機２０２又は２０３とに分離して使用後に接合した場合には、工場出荷時に初期設定された通信情報、又は再設定された通信情報をそのまま保持する。設定された通信情報はデータ記憶部９２、１１８に保持されて保存される。
【０１３４】
そこで、この処理手順では、図２１に示すように、電源を投入したことにより動作が開始され、親機２０１と子機２０２とが分離状態であるかを判定する（ステップＳ５０１）。親子機間が分離状態であれば（ステップＳ５０１のＹＥＳ）、工場出荷時の通信情報Ａが削除されているかを判定する（ステップＳ５０２）。この通信情報Ａが削除されていれば（ステップＳ５０２のＹＥＳ）、通信情報Ａとは異なる通信情報Ｂが生成されているかを判定する（ステップＳ５０３）。通信情報Ｂが生成されていれば（ステップＳ５０３のＹＥＳ）、その通信情報Ｂを使用し（ステップＳ５０４）、Bluetooth 通信を確立させ（ステップＳ５０５）、待受け状態に移行する（ステップＳ５０６）。
【０１３５】
ステップＳ５０１の判定において、親機２０１と子機２０２とが分離状態でなければ（ステップＳ５０１のＮＯ）、工場出荷時の通信情報Ａを削除する（ステップＳ５０７）。この削除の後、通信情報Ｂを生成させ、この通信情報Ｂを使用し（ステップＳ５０８）、Bluetooth 通信を確立させ（ステップＳ５０９）、待受け状態に移行する（ステップＳ５０６）。
【０１３６】
また、ステップＳ５０２の判定において、工場出荷時の通信情報Ａが削除されていなければ（ステップＳ５０２のＮＯ）、工場出荷時の通信情報Ａを使用し（ステップＳ５１０）、Bluetooth 通信を確立させ（ステップＳ５０５）、待受け状態に移行する（ステップＳ５０６）。
【０１３７】
この第３の実施の形態について、特徴的な構成や効果を列挙すれば次の通りである。
【０１３８】
(1) セパレート型携帯電話機２０に通信情報の設定機能（又は再設定機能）を追加したので、出荷時に親機２０１と子機２０２とのペアリングが完了している状態で、セキュリティの観点から、意図的に通信情報を書き替える場合、パスキーを入力することなく、親機と子機を接合して、電源のＯＦＦ／ＯＮだけの操作で通信情報を書き替えることができる。
【０１３９】
(2) 出荷時に親機と子機とのペアリングが完了していても、ユーザが親子機間の接合のみでペアリングを行うことができ、セキュリティを高めることができる。
【０１４０】
(3) この実施の形態によれば、図２２の（Ａ）に示すように、親機２０１と子機２０２とを接合して有線接続することにより、ペアリングを実行して共通の通信情報を設定することができる。このペアリングにより、図２２の（Ｂ）に示すように、共通の通信情報を用いてBluetooth 通信による無線接続を行うことができる。
【０１４１】
〔他の実施の形態〕
【０１４２】
(1) 上記実施の形態では、親機と子機とに分離される通信端末装置としてセパレート型携帯電話機２０、２００を例示したが、これに限定されない。例えば、携帯情報端末機（ＰＤＡ：Personal Digital Assistant）４００（図２３）でもよいし、セパレート型電話機５００（図２４）であってもよい。
【０１４３】
ＰＤＡ４００では、図２３に示すように、親機４０１と子機４０２とに分離し、上記実施の形態と同様に構成すれば、親機４０１や子機４０２のペアリング処理であるソフトウェア更新等の機能を実現することができる。図２３において、上記実施の形態と同一部分には同一符号を付し、その説明を省略する。
【０１４４】
また、セパレート型電話機５００では、図２４に示すように、親機５０１と子機５０２とに分離し、上記実施の形態と同様に構成すれば、親機５０１や子機５０２のペアリング処理であるソフトウェア更新等の機能を実現することができる。図２４において、上記実施の形態と同一部分には同一符号を付し、その説明を省略する。この例では、子機５０２に表示部５０４が備えられ、親機５０１側には送受器５０６が備えられている。
【０１４５】
(2) 上記実施の形態では、無線接続を近距離通信接続としてBluetooth 通信を利用しているが、無線接続は、Bluetooth 通信接続に限定されない。他の通信規格や無線媒体を利用してもよい。
【０１４６】
次に、以上述べた実施例を含む実施の形態に関し、更に以下の付記を開示する。以下の付記に本発明が限定されるものではない。
【０１４７】
（付記１）  親機と子機とに分離され、分離状態にある前記親機と前記子機とが近距離通信機能により無線接続される通信端末装置であって、
前記親機と前記子機とが分離状態か接合状態かを検出する状態検出部と、
前記親機と前記子機とがペアリングされているかを検出するペアリング検出部と、
前記親機と前記子機とが接合され、かつ前記親機と前記子機とがペアリングされていない場合、前記親機と前記子機とのペアリングを実行するペアリング処理部と、
を備えることを特徴とする通信端末装置。
【０１４８】
（付記２）  前記ペアリングの開始機能を電源スイッチに割り当て、前記ペアリング処理部は、前記親機と前記子機とのペアリングを前記電源スイッチによる通電開始により実行することを特徴とする、付記１記載の通信端末装置。
【０１４９】
（付記３）  親機と子機とに分離され、分離状態にある前記親機と前記子機とが近距離通信機能により無線接続される通信端末装置に実行される通信情報設定方法であって、
前記親機と前記子機とが分離状態か接合状態かを検出するステップと、
前記親機と前記子機とがペアリングされているかを検出するステップと、
前記親機と前記子機とが接合され、かつ前記親機と前記子機とがペアリングされていない場合、接合状態にある前記親機と前記子機とのペアリングを実行するステップと、
を含むことを特徴とする通信情報設定方法。
【０１５０】
（付記４）  更に、前記ペアリングの開始機能が割り当てられた電源スイッチの操作により、前記親機と前記子機とのペアリングを実行するステップを含むことを特徴とする、付記３記載の通信情報設定方法。
【０１５１】
（付記５）  親機と子機とに分離され、分離状態にある前記親機と前記子機とが近距離通信機能により無線接続される通信端末装置に実行させる通信情報設定プログラムであって、
前記親機と前記子機とが分離状態か接合状態かを判定する機能と、
前記親機と前記子機とがペアリングされているかを判定する機能と、
前記親機と前記子機とが接合され、かつ前記親機と前記子機とがペアリングされていない場合、前記親機と前記子機とのペアリングを実行する機能と、
を前記通信端末装置に実行させるすることを特徴とする通信情報設定プログラム。
【０１５２】
（付記６）  更に、前記ペアリングの開始機能が割り当てられた電源スイッチの操作により、前記親機と前記子機とのペアリングを実行する機能を前記通信端末装置に実行させることを特徴とする、付記５記載の通信情報設定プログラム。
【０１５３】
以上説明したように、通信端末装置、通信情報設定方法又は通信情報設定プログラムの実施の形態等について説明したが、本発明は、上記記載に限定されるものではなく、特許請求の範囲に記載され、又は発明を実施するための形態に開示された発明の要旨に基づき、当業者において様々な変形や変更が可能であることは勿論であり、斯かる変形や変更が、本発明の範囲に含まれることは言うまでもない。
【産業上の利用可能性】
【０１５４】
本開示の通信端末装置、通信情報設定方法又は通信情報設定プログラムは、親機と子機とに分離されるので、両者の接合更には電源のオン、オフにより、ペアリングを自動的に実行でき、親機と子機に分離される電子機器に広く利用でき、有用である。
【符号の説明】
【０１５５】
２  通信端末装置
４  状態検出部
６  ペアリング検出部
８、１０  ペアリング処理部
２０、２００  セパレート型携帯電話機
２１、２０１  親機
２２、２０２  子機  
【図１】
2011101125.tif 000003
【図２】
2011101125.tif 000004
【図３】
2011101125.tif 000005
【図４】
2011101125.tif 000006
【図５】
2011101125.tif 000007
【図６】
2011101125.tif 000008
【図７】
2011101125.tif 000009
【図８】
2011101125.tif 000010
【図９】
2011101125.tif 000011
【図１０】
2011101125.tif 000012
【図１１】
2011101125.tif 000013
【図１２】
2011101125.tif 000014
【図１３】
2011101125.tif 000015
【図１４】
2011101125.tif 000016
【図１５】
2011101125.tif 000017
【図１６】
2011101125.tif 000018
【図１７】
2011101125.tif 000019
【図１８】
2011101125.tif 000020
【図１９】
2011101125.tif 000021
【図２０】
2011101125.tif 000022
【図２１】
2011101125.tif 000023
【図２２】
2011101125.tif 000024
【図２３】
2011101125.tif 000025
【図２４】
2011101125.tif 000026